(57)【要約】【課題】手洗器の排水を便器装置の便器排水部を介して便器装置外部に排水するようにしたものにおいて、簡単な構造で手洗器排水管路の封水トラップ部内の封水が手洗器側に逆流するのを防止できる。【解決手段】便器装置２に、便器ボウル部６と、該便器ボウル部６からの排水を便器装置２外部の排水路３に排出するための便器排水部１３とを備える。手洗器１の排水を流す手洗器排水管路２８の下流側端部を上記便器排水部１３に連通接続し、手洗器排水管路２８の途中に封水トラップ部３１を形成する。手洗器排水管路２８の封水トラップ部３１よりも手洗器１側に、封水トラップ部３１よりも内径が大きい膨大管部５を設ける。【選択図】図１
2011111780.tif 000002
【特許請求の範囲】
【請求項１】
便器装置に、便器ボウル部と、該便器ボウル部からの排水を便器装置外部の排水路に排出するための便器排水部とを備え、手洗器の排水を流す手洗器排水管路の下流側端部を上記便器排水部に連通接続し、手洗器排水管路の途中に封水トラップ部を形成し、手洗器排水管路の封水トラップ部よりも手洗器側に、封水トラップ部よりも内径が大きい膨大管部を設けてあることを特徴とする排水構造。
【請求項２】
便器排水部は、ターントラップ装置と、ターントラップ装置から排出された排水を受け、これを横向きの流れに変えて下流側へ流す流水方向変換部を有し、上記ターントラップ装置が、便器ボウル部に接続された屈曲自在のトラップ筒と、該トラップ筒を屈曲することで、トラップ筒を便器ボウル部内に水を溜める封水状態と便器ボウル部内の溜め水を排水する排水状態とに切り替え自在となり、前記手洗器排水管路の下流側の端部を上記流水方向変換部に連通接続してあることを特徴とする請求項１記載の排水構造。
【発明の詳細な説明】
【技術分野】
【０００１】
本発明は、手洗器の排水を便器装置用の排水路を利用して排出できるようにした排水構造に関するものである。
【背景技術】
【０００２】
従来から、サニタリー機器の排水構造として、手洗器の排水と便器装置における便器ボウル部からの排水とを共通の排水路を介して排出できるようにした排水構造が例えば特許文献１により知られている。
【０００３】
この従来の排水構造にあっては、便器装置に設けられた便器装置外部の排水路に排水を導く便器排水部に、手洗器の排水を流す手洗器排水管路の下流側端部を連通接続したもので、手洗器の排水を手洗器排水管路、便器装置に設けた便器排水部を介して、便器装置外部の排水路に排出するようにしている。
【０００４】
上記従来例においては、手洗器の排水を便器装置に備えた便器排水部に流すことで、建物側には便器装置専用の単一の排水路を形成すればよく、施工が簡略化でき、特に、リフォームにおいて、従来の便器専用の単一の排水路をそのまま利用して便器装置、手洗器の排水が行えるので、現場で、便器装置用の排水路とは異なる手洗器専用の排水路を形成する工事が必要でなく、便器装置のリフォームの際に、大掛かりな工事を行うことなく新たに手洗器を設置することが可能となる。
【先行技術文献】
【特許文献】
【０００５】
【特許文献１】特開２００９−１５０１２５号公報
【発明の概要】
【発明が解決しようとする課題】
【０００６】
しかしながら、上記の従来例にあっては、手洗器の排水を流す手洗器排水管路の下流側端部を、便器ボウル部からの排水を便器装置外部の排水路に排出するための便器排水部に連通接続してあるため、以下のような問題がある。
【０００７】
つまり、便器装置の便器ボウル部に溜まっている水（汚水）を一気に便器排水部に流すと、便器ボウル部から一気に流れた水が一時的に便器排水部における手洗器排水管路を連通接続部分において満水となって、手洗器排水管路に下流側端部から排水の一部が逆流し、これにより手洗器排水管路内の圧力が上昇し、手洗器排水管路の封水トラップ部内の封水を押し上げ、封水トラップ部内の封水が手洗器ボウル部内に逆流するおそれがある。
【０００８】
本発明は、上記の従来の問題点に鑑みてなされたものであって、手洗器の排水を便器装置の便器排水部を介して便器装置外部に排水するようにしたものにおいて、簡単な構造で手洗器排水管路の封水トラップ部内の封水が手洗器側に逆流するのを防止できる排水構造を提供することを課題としている。
【課題を解決するための手段】
【０００９】
上記課題を解決するために、本発明は、以下のような構成になっている。
【００１０】
本発明の排水構造は、便器装置２に、便器ボウル部６と、該便器ボウル部６からの排水を便器装置２外部の排水路３に排出するための便器排水部１３とを備え、手洗器１の排水を流す手洗器排水管路２８の下流側端部を上記便器排水部１３に連通接続し、手洗器排水管路２８の途中に封水トラップ部３１を形成し、手洗器排水管路２８の封水トラップ部３１よりも手洗器１側に、封水トラップ部３１よりも内径が大きい膨大管部５を設けてあることを特徴とする。
【００１１】
このような構成とすることで、便器ボウル部６に溜まっている水を一気に排水して便器排水部１３に流した際に、一気に流れた水が一時的に便器排水部１３における手洗器排水管路２８を連通接続部分において満水となって、手洗器排水管路２８に下流側端部から排水の一部が逆流し、手洗器排水管路２８内の圧力が上昇し、手洗器排水管路２８の封水トラップ部３１内の封水を押し上げる現象が生じても、該押し上げられた封水を膨大管部５内に流入させて手洗器１に逆流するのを防止することができる。
【００１２】
また、便器排水部１３は、ターントラップ装置１５と、ターントラップ装置１５から排出された排水を受け、これを横向きの流れに変えて下流側へ流す流水方向変換部２０を有し、上記ターントラップ装置１５が、便器ボウル部６に接続された屈曲自在のトラップ筒１８と、該トラップ筒１８を屈曲することで、トラップ筒１８を便器ボウル部６内に水を溜める封水状態と便器ボウル部６内の溜め水を排水する排水状態とに切り替え自在となり、前記手洗器排水管路２８の下流側の端部を上記流水方向変換部２０に連通接続してあることが好ましい。
【００１３】
トラップ筒１８を反転して便器ボウル部６に溜まった水を一気に流水方向変換部２０に流して横向きの流れに変えて下流側へ流すタイプの便器装置２は、一気に流れ込んだ水が流水方向変換部２０内において横向きに流れを変えるため、流水方向変換部２０内が一時的に満水状態となり易い構造である。この一時的に満水状態になり易い流水方向変換部２０に手洗器排水管路２８の下流側の端部を連通接続すると、流水方向変換部２０内において一時的に満水状態となった際の圧力上昇で封水トラップ部３１内の封水が押し上げられて逆流する現象が生じ易い。しかし、本発明は、押し上げられた封水を膨大管部５内に流入させて手洗器１に逆流するのを防止できるので、ターントラップ装置１５からの排水を流水方向変換部２０内において横向きに流れを変える構造のものであっても、流水方向変換部２０に手洗器排水管路２８の下流側の端部を連通接続しても、封水の逆流のおそれがない。
【発明の効果】
【００１４】
本発明は、上記のように構成したので、手洗器排水管路の途中に封水トラップ部を形成し、手洗器排水管路の封水トラップ部よりも手洗器側に、封水トラップ部よりも内径が大きい膨大管部を設けるという簡単な構成で、便器ボウル部に溜まっている水を一気に排水して便器排水部に流した際に、一気に流れた水が一時的に便器排水部における手洗器排水管路を連通接続部分において満水となって手洗器排水管路内の圧力が上昇しても、封水を膨大管部内に流入させることができて、手洗器に逆流するのを防止できる。
【図面の簡単な説明】
【００１５】
【図１】本発明の実施形態の一例を示す要部断面図である。
【図２】同上の排水構造の管路構成を示す分解斜視図である。
【図３】同上の排水構造の手洗器の手洗器排水管路に設けた膨大管部の一例を示す正面図である。
【発明を実施するための形態】
【００１６】
以下、本発明を添付図面に基づいて説明する。図１乃至図３に示される本実施形態の排水構造では、同一のトイレ室内において離れた位置に設置された手洗器１及び便器装置２の排水を共通の排水路３を介して排出されるようになっている。
【００１７】
便器装置２は便器ボウル部６を有する便器形状の便器外郭体７に便座や便蓋等が設けられたものであり、洋式水洗便器として利用される。
【００１８】
便器外郭体７は、前記便器ボウル部６の他、便器ボウル部６上に設けられるリム部１０と、便器外郭体７の外面部を構成して便器ボウル部６の外側を覆うスカート部１１を有し、便器ボウル部６の下端部には後方に向けて突出する排水筒部１２が形成されている。
【００１９】
便器ボウル部６内の溜め水は便器装置２に設けられた便器排水部１３を介して便器装置２外部の排水路３へと排出できるようになっており、本実施形態の便器排水部１３は便器外郭体７に内装されたターントラップ装置１５及び排水アダプター装置１６で構成されている。なお便器外郭体７に他の付属装置として便器ボウル部６内に洗浄液を供給する洗浄液吐出装置や局部洗浄装置等も内装されている。
【００２０】
ターントラップ装置１５は、便器ボウル部６の後方に設けられたトラップケース１７と、トラップケース１７内に設けられたフレキシブルなトラップ筒１８と、トラップ筒１８を屈曲させる駆動源としてのモータとを備えている。トラップ筒１８の一端は排水筒部１２の後部に接続され、他端は自由端となっている。
【００２１】
トラップ筒１８は前記モータを駆動することで屈曲し、これによって自由端側の端部開口１９を上向きとしてトラップ構造をなす封止状態と、図１のように端部開口１９を下向きとして前記トラップ構造を解除した排水状態とに切り替えられる。
【００２２】
トラップ筒１８は非使用時には封止状態とされ、トラップ筒１８の端部開口１９が排水筒部１２よりも上位に配置されて便器ボウル部６内に水が溜まった状態となり、またトラップ筒１８内には水が溜まって封止がなされる。用便後にはトラップ筒１８が排水状態とされ、便器ボウル部６内の溜め水が排水筒部１２及びトラップ筒１８を介して下方の排水アダプター装置１６へと排出される。
【００２３】
排水アダプター装置１６は前記トラップ筒１８から排出された水をトラップ筒１８の端部開口１９から前方にずれた位置に設けられた排水路３の上流側端部に導くものであり、この排水アダプター装置１６はリフォームにより既存の排水路３を利用して便器装置２を設置する場合等に用いられる。
【００２４】
排水アダプター装置１６は、トラップケース１７下方の床２１上に設置された流水方向変換部２０と、便器ボウル部６下方の床２１上に設置されて流水方向変換部２０の前方に位置する排出管部２２と、両者を接続する接続管部２３とで構成されている。
【００２５】
流水方向変換部２０は上流端が上方に開口すると共に下流端が前方に開口して略直角に曲がった曲管からなり、前記トラップ筒１８から排出された水は流水方向変換部２０の底部で一旦受けられた後、前方へと向きを変えて下流側に流される。
【００２６】
接続管部２３は直管からなり、上流側端部である後端部が流水方向変換部２０の下流側端部に接続されると共に下流側端部である前端部が排出管部２２の上流側端部に接続され、前記流水方向変換部２０から排出された水を排出管部２２へ流す。
【００２７】
排出管部２２は上流端が後方に開口すると共に下流端が下方に開口して略直角に曲がった曲管からなる。排出管部２２の下流側端部は床２１上に突出した排水路３の上流側端部に接続され、前記流水方向変換部２０から排出された水を排水路３に排出する。
【００２８】
一方、手洗器１は上部に手洗器ボウル部２５と手洗器ボウル部２５に給水するための給水装置２６とを備えている。
【００２９】
手洗器ボウル部２５の底部には手洗器排水口部２７が設けられている。手洗器排水口部２７は手洗器排水管路２８を介して排水アダプター装置１６の流水方向変換部２０に接続されている。詳しくは手洗器排水管路２８の下流側端部は流水方向変換部２０の後壁部２９から後方に突出する接続筒部３０に連通接続されている。これにより手洗器ボウル部２５内の水は手洗器排水口部２７から手洗器排水口部２７及び手洗器排水管路２８を順に経て流水方向変換部２０内に排出され、以後は便器ボウル部６からの排水と同様に接続管部２３及び排出管部２２を順に介して排水路３に排出される。手洗器排水管路２８の上流部には略Ｕ字状に曲げられた管部からなる封水トラップ部３１が設けられ、該封水トラップ部３１内に溜まる封水によって封止がなされる。
【００３０】
ここで、流水方向変換部２０は便器装置２内の後部にあり、この流水方向変換部２０に上記のように手洗器排水管路２８の下流側端部を接続するので、手洗器排水管路２８の下流側端部が便器装置２の後部に位置し、便器装置２の前面側から見た際に、手洗器排水管路２８が目立たず、また、便器装置２の使用に当たって手洗器排水管路２８が邪魔にならない。
【００３１】
手洗器排水管路２８の封水トラップ部３１よりも手洗器１側に、封水トラップ部３１よりも内径が大きい膨大管部５を設けてある。
【００３２】
便器ボウル部６に溜まった水を排水するには、前述のようにターントラップ装置１５に設けたモータを駆動してトラップ筒１８を端部開口１９が下向きとなるように回動することで、下向きとなった端部開口１９から該端部開口１９の直下の流水方向変換部２０に排出し、上方から流下した水を流水方向変換部２０で受けて横向きの流れに変え、接続管部２３、排出管部２２を経て、便器装置２外部の排水路３に排出する。
【００３３】
この場合、モータを駆動してトラップ筒１８を端部開口１９が下向きとなるように回動すると、便器ボウル部６に溜まった水が、トラップ筒１８を端部開口１９の直下の流水方向変換部２０に一気に流れ込み、この一気に流れ込んだ水が流水方向変換部２０内において横向きに流れを変えるため、流水方向変換部２０内が一時的に満水状態となり易い。
【００３４】
このように便器ボウル部６内に溜まった水が流水方向変換部２０内に一気に流れ込むと、流水方向変換部２０に連通接続した手洗器排水管路２８内に連通接続部分から水が流入し、手洗器排水管路２８内の圧力が上昇し、手洗器排水管路２８の封水トラップ部３１内の封水を押し上げられ、手洗器１側に逆流することになる。
【００３５】
しかしながら、本発明においては、上記のように、手洗器排水管路２８の封水トラップ部３１よりも手洗器１側に、封水トラップ部３１よりも内径が大きい膨大管部５を設けてあるので、上方に押し上げられて逆流する封水が、膨大管部５内に流れ込み、逆流高さを低くし、手洗器ボウル部２５への逆流を緩和することができる。
【００３６】
このように、トラップ筒１８を端部開口１９から水が一気に流れ込んで一時的に満水になって圧力上昇が生じる部分である流水方向変換部２０に、手洗器排水管路２８の下流側端部を連通接続しても、手洗器排水管路２８の封水トラップ部３１の封水の手洗器１への逆流を緩和できるので、上記のように手洗器排水管路２８が目立たず且つ邪魔にならないように手洗器排水管路２８を便器装置２内の後部の流水方向変換部２０に接続する構成としても何ら問題がない。
【００３７】
なお、上記本実施形態の流水方向変換部２０はターントラップ装置１５からの排水の向きを前方へ変えるものであるが、前方以外の方向の横向きの流れに変えるものであってもかまわない。
【００３８】
また、上記本実施形態では、排水アダプター装置１６を夫々別体となる流水方向変換部２０、接続管部２３及び排出管部２２で構成したが、該排水アダプター装置１６は一体に形成された管で構成されるものであってもよい。また、本実施形態では便器排水部１３をとして、ターントラップ装置１５を備えたいわゆるターントラップ方式の例で説明したが、便器排水部１３はこれに限定されるものではなく、便器排水部１３は便器ボウル部６と排水路３とを連通させて便器ボウル部６内のため水を排水路３へと導くものであれば、他の構成、例えば、便器排水部１３をサイフォン方式あるいは洗い流し方式であってもよい。
【符号の説明】
【００３９】
１  手洗器
２  便器装置
３  排水路
５  膨大管部
１３  便器排水部
２０  流水方向変換部
２８  手洗器排水管路
３１  封水トラップ
【図１】
2011111780.tif 000003
【図２】
2011111780.tif 000004
【図３】
2011111780.tif 000005